(57)【要約】      （修正有）【課題】ページ組立時のエレメントデータ伸長処理のボトルネックを抑制する。【解決手段】ラスタ画像処理サブシステム１０のエレメント再構成部１５は、エレメントデータを固定エレメントデータＥ０、可変エレメントデータＥ２、集合エレメントデータ（Ｅ１、Ｅ３、Ｅ４）に分類し、Ｅ０およびＥ２をそれぞれ圧縮器１２で圧縮するとともに、集合エレメントデータ（Ｅ１、Ｅ３、Ｅ４）をエレメントデータＥＡにして圧縮する。ページ組立時にはページ組立プロセッサ２１がＰＡＬ保持部１４から取得したＰＡＬ（Ｅ０，Ｅ２，ＥＡ）とＰＡＬバッファから取得した（Ｅ０，Ｅ２，ＥＡ）とを比較して可変エレメントデータＥ２および集合エレメントデータＥＳの圧縮データをエレメントキャッシュ１３から取り出して伸長器２２でそれぞれ伸長してページバッファ２４、２５に書き込み、固定エレメントデータの画像データと合成する。【選択図】図４
2006264286.tif 000002
【特許請求の範囲】
【請求項１】
１つのページを構成するページエレメントの画像データ群のうちページにかかわらず内容が同一なタイプのページエレメントの画像データ以外の画像データの中の少なくとも一部の画像データ群を一まとめにして圧縮するとともに、上記一部の画像データ群および上記ページにかかわらず内容が同一なタイプのページエレメントの画像データの他の残りの画像データを圧縮するデータ圧縮手段と、
圧縮された上記少なくとも一部の画像データ群および圧縮された上記残りの画像データを記憶するページエレメント記憶部と、
圧縮された上記少なくとも一部の画像データ群および圧縮された上記残りの画像データを上記ページエレメント記憶部から読み出した伸長するデータ伸長手段と、
上記データ伸長手段により伸長された上記少なくとも一部の画像データ群および上記残りの画像データを、上記ページにかかわらず内容が同一なタイプのページエレメントの画像データが予め書き込まれているページバッファに書き込んでページ画像データを合成するページ画像合成手段と、
上記ページバッファに記憶されているページ画像データに基づいてページ画像を出力する画像出力手段とを有することを特徴とする画像形成装置。
【請求項２】
上記残りの画像データはページごとに内容が変わるタイプのページエレメントの画像データであり、上記少なくとも一部の画像データ群は、上記１つのページを構成するページエレメントの画像データうち、上記ページごとに内容が変わるタイプのページエレメントの画像データおよび上記ページにかかわらず内容が同一のタイプのページエレメントの画像データからなるグループ以外のページエレメントの画像データである請求項１記載の画像形成装置。
【請求項３】
上記少なくとも一部の画像データは所定の圧縮アルゴリズムで圧縮される画像データであり、上記残りの画像データは上記所定の圧縮アルゴリズムと異なる圧縮アルゴリズムで圧縮される画像データである請求項１記載の画像形成装置。
【請求項４】
上記少なくとも一部の画像データは自然画像の画像データを含み非可逆圧縮アルゴリズムで圧縮され、上記残りの画像データは文字データを含み可逆圧縮アルゴリズムで圧縮される請求項３記載の画像形成装置。
【請求項５】
上記データ圧縮手段は上記ページにかかわらず内容が同一なタイプのページエレメントの画像データを圧縮し、上記ページエレメント記憶部は圧縮された上記ページにかかわらず内容が同一なタイプのページエレメントの画像データを記憶し、上記データ伸長手段は上記ページエレメント記憶部に記憶されている圧縮された上記ページにかかわらず内容が同一なタイプのページエレメントの画像データを伸長し、上記ページ画像合成手段は伸長された上記ページにかかわらず内容が同一なタイプのページエレメントの画像データを画像合成の初めに上記ページバッファに書き込む請求項１〜４のいずれかに記載の画像形成装置。
【請求項６】
上記ページ画像合成手段はページエレメントの画像データの識別子とその配置とを記述する配置データのリストに基づいてページ画像データを合成する請求項１〜５のいずれかに記載の画像形成装置。
【請求項７】
１つのページを構成するページエレメントの画像データうち、ページごとに内容が変わる第１のタイプのページエレメントの画像データおよびページにかかわらず内容が同一の第２のタイプのページエレメントの画像データからなるグループ以外の第３のタイプのページエレメントの画像データを一まとめにして圧縮するとともに上記第１のタイプのページエレメントの画像データを圧縮するデータ圧縮手段と、
圧縮された上記第３のタイプのページエレメントの画像データおよび圧縮された上記第１のタイプのページエレメントの画像データを記憶するページエレメント記憶部と、
圧縮された上記第１のタイプのページエレメントの画像データおよび圧縮された上記第３のタイプのページエレメントの画像データを上記ページエレメント記憶部から読み出した伸長するデータ伸長手段と、
上記データ伸長手段により伸長された上記第１のタイプのページエレメントの画像データおよび上記第３のタイプのページエレメントの画像データを、上記第２のタイプのページエレメントの画像データが予め書き込まれているページバッファに書き込んでページ画像データを合成するページ画像合成手段と、
上記ページバッファに記憶されているページ画像データに基づいてページ画像を出力する画像出力手段とを有することを特徴とする画像形成装置。
【請求項８】
１つのページを構成するページエレメントの画像データうち、ページにかかわらず内容が同一なページエレメントの画像データ以外のページエレメントの画像データを一まとめにして圧縮するデータ圧縮手段と、
上記一まとめにして圧縮されたページエレメントの画像データを記憶するページエレメント記憶部と、
上記一まとめにして圧縮されたページエレメントの画像データを上記ページエレメント記憶部から読み出した伸長するデータ伸長手段と、
上記データ伸長手段により伸長された上記一まとめにして圧縮されたページエレメントの画像データを、上記ページにかかわらず内容が同一なページエレメントの画像データが予め書き込まれているページバッファに書き込んでページ画像データを合成するページ画像合成手段と、
上記ページバッファに記憶されているページ画像データに基づいてページ画像を出力する画像出力手段とを有することを特徴とする画像形成装置。
【請求項９】
データ圧縮手段が、１つのページを構成するページエレメントの画像データ群のうちページにかかわらず内容が同一なタイプのページエレメントの画像データ以外の画像データの中の少なくとも一部の画像データ群を一まとめにして圧縮するとともに、上記一部の画像データ群および上記ページにかかわらず内容が同一なタイプのページエレメントの画像データの他の残りの画像データを圧縮するステップと、
ページエレメント記憶部が、圧縮された上記少なくとも一部の画像データ群および圧縮された上記残りの画像データを記憶するステップと、
データ伸長手段が、圧縮された上記少なくとも一部の画像データ群および圧縮された上記残りの画像データを上記ページエレメント記憶部から読み出した伸長するステップと、
ページ画像合成手段が、上記データ伸長手段により伸長された上記少なくとも一部の画像データ群および上記残りの画像データを、上記ページにかかわらず内容が同一なタイプのページエレメントの画像データが予め書き込まれているページバッファに書き込んでページ画像データを合成するステップと、
画像出力手段が、上記ページバッファに記憶されているページ画像データに基づいてページ画像を出力するステップとを有することを特徴とする画像形成方法。
【請求項１０】
１つのページを構成するページエレメントの画像データ群のうちページにかかわらず内容が同一なタイプのページエレメントの画像データ以外の画像データの中の少なくとも一部の画像データ群を一まとめにして圧縮するとともに、上記一部の画像データ群および上記ページにかかわらず内容が同一なタイプのページエレメントの画像データの他の残りの画像データを圧縮するデータ圧縮手段と、
圧縮された上記少なくとも一部の画像データ群および圧縮された上記残りの画像データを記憶するページエレメント記憶部と、
圧縮された上記少なくとも一部の画像データ群および圧縮された上記残りの画像データを上記ページエレメント記憶部から読み出した伸長するデータ伸長手段と、
上記データ伸長手段により伸長された上記少なくとも一部の画像データ群および上記残りの画像データを、上記ページにかかわらず内容が同一なタイプのページエレメントの画像データが予め書き込まれているページバッファに書き込んでページ画像データを合成するページ画像合成手段と、
上記ページバッファに記憶されているページ画像データに基づいてページ画像を出力する画像出力手段とを実現するためにコンピュータにより実行されることを特徴とする画像形成用コンピュータプログラム。
【発明の詳細な説明】
【技術分野】
【０００１】
この発明は、可変印刷を行なう画像形成技術に関し、とくに、出力画像をリアルタイムで展開してプリントエンジンに供給するのに適したものである。
【背景技術】
【０００２】
ページ構成要素中多くの部分が共通していて一部の部分を可変内容にする複数ページを印刷する可変印刷が知られている。特許文献１は、かかる可変印刷技術の一例を提案している。図１は、特許文献１の可変印刷技術を実装した印刷システムを示しており、図１において、印刷システム１は、ラスタ画像処理サブシステム１０、ページ組立サブシステム２０、印刷サブシステム３０を含んで構成されている。ラスタ画像処理サブシステム１０は、ラスタ画像プロセッサ１１、圧縮器１２、エレメントキャッシュ１３、ＰＡＬ（Ｐａｇｅ  Ａｓｓｅｍｂｌｙ  Ｌｉｓｔｓ。ページ組立てリスト）保持部１４等を具備している。ページ組立サブシステム２０は、ページ組立プロセッサ２１、伸長器２２、ＰＡＬバッファ２３、ページバッファ２４、２５を具備している。印刷サブシステム３０は、プリンタインタフェース３１およびプリンタ（プリントエンジン）３２を具備している。
【０００３】
ラスタ画像処理サブシステム１０は、可変印刷仕様のＰＤＬ（ページ記述言語）のファイルを解釈し、ページ要素（エレメントデータ、ページエレメントともいう）単位にＰＲＤ（Ｐｒｉｎｔ  Ｒｅａｄｙ  Ｄａｔａ）を生成してエレメントキャッシュ１３へ保存し、エレメントデータのページ内座標とポインターで構成されるページ組立てリスト（ＰＡＬｓ）を生成する。ページ組立サブシステム２０はＰＡＬｓを参照してＰＲＤをエレメントキャッシュ１３からページバッファ２４または２５へ展開しプリントエンジン速度に同期してページを出力する。この時、出力中ページのＰＡＬと、次に出力すべきページのＰＡＬを比較し不一致のＰＲＤのみをページバッファ２４または２５へ展開する。
【０００４】
このようにすることにより展開処理を省略することができる。
【０００５】
ところで、カラー多値画像をラスターデータとして保存／転送することは困難であるため、ＰＲＤを圧縮して扱う。図１の例では、圧縮器１２および伸長器２２を用いる。故に、ＰＲＤをエレメントキャッシュ１３からページバッファ２４、２５へ展開するには伸長処理が必要になり、ページ内のエレメント数が多くなると、プリントエンジン速度に追随できずリアルタイム性を保証できないおそれある。
【特許文献１】米国特許第６４７６９３１号明細書
【発明の開示】
【発明が解決しようとする課題】
【０００６】
この発明は、以上の事情を考慮してなされたものであり、可変印刷において画像データの圧縮伸長を行なう場合でも十分に画像展開をプリントエンジン速度に追随可能にする画像形成技術を提供することを目的としている。
【課題を解決するための手段】
【０００７】
本発明の構成例においては、上述の目的を達成するために、可変印刷処理において、エレメントデータ単位にラスタライズを行い、圧縮してキャッシュメモリへ格納する際に、ページを構成する各エレメントデータを、（１）全てのページに共通な固定エレメントデータ、（２）ページ毎に変わる可変エレメントデータ、および（３）固定エレメントデータおよび可変エレメントデータ以外の残りを合成・圧縮した集合エレメント、に再構成し、出力時に可変エレメントデータと集合エレメントデータをリアルタイム伸長・合成し、その後、ページメモリへ予め展開されていた固定エレメントデータとマージしてマーキングエンジンへ出力する。
【０００８】
また、可変エレメントデータを圧縮アルゴリズムに基づいて一まとめにして一緒に圧縮して集合エレメントデーとしてもよい。例えば、ページを構成する各エレメントデータを、（１）全てのページに共通な固定エレメントデータ、（２）一つ以上の写真／自然画エレメントデータを合成・圧縮した非可逆系集合エレメントデータ、（３）一つ以上の文字エレメントデータを合成・圧縮した可逆系集合エレメントデータに再構成し、出力時に非可逆系集合エレメントデータと可逆系集合エレメントデータを伸長・合成してもよい。
【０００９】
さらに本発明を説明する。
【００１０】
この発明の一側面によれば、上述の目的を達成するために、画像形成装置に：１つのページを構成するページエレメント（エレメントデータともいう）の画像データ群のうちページにかかわらず内容が同一なタイプのページエレメントの画像データ以外の画像データの中の少なくとも一部の画像データ群を一まとめにして圧縮するとともに、上記一部の画像データ群および上記ページにかかわらず内容が同一なタイプのページエレメントの画像データの他の残りの画像データを圧縮するデータ圧縮手段と；圧縮された上記少なくとも一部の画像データ群および圧縮された上記残りの画像データを記憶するページエレメント記憶部と；圧縮された上記少なくとも一部の画像データ群および圧縮された上記残りの画像データを上記ページエレメント記憶部から読み出した伸長するデータ伸長手段と；上記データ伸長手段により伸長された上記少なくとも一部の画像データ群および上記残りの画像データを、上記ページにかかわらず内容が同一なタイプのページエレメントの画像データが予め書き込まれているページバッファに書き込んでページ画像データを合成するページ画像合成手段と；上記ページバッファに記憶されているページ画像データに基づいてページ画像を出力する画像出力手段とを設けている。
【００１１】
この構成においては、一部の画像データ群を一まとめにして圧縮しているのでページ組立時の画像展開の伸長対象数が少なくなり、プリントエンジンの高速処理に追随させることが一層可能となる。
【００１２】
この構成において、上記残りの画像データはページごとに内容が変わるタイプのページエレメントの画像データであり、上記少なくとも一部の画像データ群は、上記１つのページを構成するページエレメントの画像データうち、上記ページごとに内容が変わるタイプのページエレメントの画像データおよび上記ページにかかわらず内容が同一のタイプのページエレメントの画像データからなるグループ以外のページエレメントの画像データである。要するに、エレメントデータ（ページエレメント）を（１）全てのページに共通な固定エレメントデータ、（２）ページ毎に変わる可変エレメントデータ、および（３）固定エレメントデータおよび可変エレメントデータ以外の残りを合成・圧縮した集合エレメントに分類して処理する。
【００１３】
また、上記少なくとも一部の画像データは所定の圧縮アルゴリズムで圧縮される画像データであり、上記残りの画像データは上記所定の圧縮アルゴリズムと異なる圧縮アルゴリズムで圧縮される画像データとしてもよい。この場合、典型的には、上記少なくとも一部の画像データは自然画像の画像データを含み非可逆圧縮アルゴリズムで圧縮され、上記残りの画像データは文字データを含み可逆圧縮アルゴリズムで圧縮される。この構成では、伸長対少数を少なくできるとともに画像に応じて圧縮伸長アルゴリズムを採用できる。
【００１４】
また、上記データ圧縮手段は上記ページにかかわらず内容が同一なタイプのページエレメントの画像データを圧縮し、伸長処理してページバッファに転換しても良い。ＰＤＬファイルの解釈とラスタ画像の組立は別フェーズで行なわれるので、ページにかかわらず内容が同一なタイプのページエレメントの画像データも圧縮して保管することが好ましい。
【００１５】
また、上記ページ画像合成手段は典型的にはページエレメントの画像データの識別子とその配置とを記述する配置データのリスト（ＰＡＬｓ）に基づいてページ画像データを合成する。
【００１６】
また、本発明の他の側面によれば、上述の目的を達成するために、画像形成装置に：１つのページを構成するページエレメントの画像データうち、ページごとに内容が変わる第１のタイプのページエレメントの画像データおよびページにかかわらず内容が同一の第２のタイプのページエレメントの画像データからなるグループ以外の第３のタイプのページエレメントの画像データを一まとめにして圧縮するとともに上記第１のタイプのページエレメントの画像データを圧縮するデータ圧縮手段と；圧縮された上記第３のタイプのページエレメントの画像データおよび圧縮された上記第１のタイプのページエレメントの画像データを記憶するページエレメント記憶部と；圧縮された上記第１のタイプのページエレメントの画像データおよび圧縮された上記第３のタイプのページエレメントの画像データを上記ページエレメント記憶部から読み出した伸長するデータ伸長手段と；上記データ伸長手段により伸長された上記第１のタイプのページエレメントの画像データおよび上記第３のタイプのページエレメントの画像データを、上記第２のタイプのページエレメントの画像データが予め書き込まれているページバッファに書き込んでページ画像データを合成するページ画像合成手段と；上記ページバッファに記憶されているページ画像データに基づいてページ画像を出力する画像出力手段とを設けている。
【００１７】
この構成においても、一部の画像データ群を一まとめにして圧縮しているのでページ組立時の画像展開の伸長対象数が少なくなり、プリントエンジンの高速処理に追随させることが一層可能となる。
【００１８】
また、本発明のさらに他の側面によれば、上述の目的を達成するために、画像形成装置に：１つのページを構成するページエレメントの画像データうち、ページにかかわらず内容が同一なページエレメントの画像データからなる以外のページエレメントの画像データを一まとめにして圧縮するデータ圧縮手段と；上記一まとめにして圧縮されたページエレメントの画像データを記憶するページエレメント記憶部と；上記一まとめにして圧縮されたページエレメントの画像データを上記ページエレメント記憶部から読み出した伸長するデータ伸長手段と；上記データ伸長手段により伸長された上記一まとめにして圧縮されたページエレメントの画像データを、上記ページにかかわらず内容が同一なページエレメントの画像データが予め書き込まれているページバッファに書き込んでページ画像データを合成するページ画像合成手段と；上記ページバッファに記憶されているページ画像データに基づいてページ画像を出力する画像出力手段とを設けるようにしている。
【００１９】
この構成においては、ページにかかわらず内容が同一なページエレメントの画像データからなる画像データ以外のページエレメントの画像データを一まとめにして圧縮するようにしているので、さらにページ組立時の画像展開の伸長対象数が少なくなり、プリントエンジンの高速処理に追随させることが一層可能となる。
【００２０】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２１】
この発明の上述の側面および他の側面は特許請求の範囲に記載され以下実施例を用いて詳述される。
【発明の効果】
【００２２】
この発明によれば、ページ内のエレメントデータ数の影響によりリアルタイム性を保証できないケースはなくなる。また、ページ管理が単純になり、装置構成をシンプルにすることが可能になる。
【発明を実施するための最良の形態】
【００２３】
以下、この発明の実施例について説明する。
【００２４】
図２は、本発明の実施例の印刷システムを示しており、この図において、印刷システム２は、ラスタ画像処理サブシステム１０、ページ組立サブシステム２０、印刷サブシステム３０を含んで構成されている。ラスタ画像処理サブシステム１０は、ラスタ画像プロセッサ１１、圧縮器１２、エレメントキャッシュ１３、ＰＡＬ（Ｐａｇｅ  Ａｓｓｅｍｂｌｙ  Ｌｉｓｔｓ。ページ組立てリスト）保持部１４、エレメント再構成部１５等を具備している。ページ組立サブシステム２０は、ページ組立プロセッサ２１、伸長器２２、ＰＡＬバッファ２３、ページバッファ２４、２５を具備している。印刷サブシステム３０は、プリンタインタフェース３１およびプリンタ（プリントエンジン）３２を具備している。
【００２５】
ラスタ画像処理サブシステム１０は、可変印刷仕様のＰＤＬ（ページ記述言語）のファイルを解釈し、ページ要素（エレメントデータともいう）単位にＰＲＤ（Ｐｒｉｎｔ  Ｒｅａｄｙ  Ｄａｔａ）を生成してエレメントキャッシュ１３へ保存し、エレメントデータのページ内座標とポインターで構成されるページ組立てリスト（ＰＡＬｓ）を生成する。ページ組立サブシステム２０はＰＡＬｓを参照してＰＲＤをエレメントキャッシュ１３からページバッファ２４または２５へ展開しプリントエンジン速度に同期してページを出力する。この時、出力中ページのＰＡＬと、次に出力すべきページのＰＡＬを比較し不一致のＰＲＤのみをページバッファ２４または２５へ展開する。なお、ページバッファ２４、２５は一方が出力しているときに他方がページ書き込みを行なうようにして交代して用いられる。
【００２６】
この例において、図３に示すようなページを印刷することを考える。図３においてエレメントデータＥ０はページにかかわらず固定の内容の固定エレメントデータであり、エレメントデータＥ２がページごとに内容が異なる可変エレメントデータであり、エレメントデータＥ１、Ｅ３、Ｅ４がその他のエレメントデータ（集合エレメントデータ）である。
【００２７】
ラスタ画像処理サブシステム１０のエレメント再構成部１５は、図４に示すように、エレメントデータを（１）固定エレメントデータＥ０、（２）可変エレメントデータＥ２、および（３）集合エレメントデータ（Ｅ１、Ｅ３、Ｅ４）に分類し、Ｅ０およびＥ２をそれぞれ圧縮器１２で圧縮するとともに、集合エレメントデータ（Ｅ１、Ｅ３、Ｅ４）を一つのエレメントデータＥＡにして圧縮する。これら圧縮データは図５に示すようにエレメントキャッシュ１３例えばハードディスクドライブに記憶される。ＰＡＬの内容もこれに応じたものとなる。
【００２８】
ページ組立時にはページ組立プロセッサ２１がＰＡＬ保持部１４から取得したＰＡＬ（Ｅ０，Ｅ２，ＥＡ）とＰＡＬバッファから取得した（Ｅ０，Ｅ２，ＥＡ）とを比較して可変エレメントデータＥ２および集合エレメントデータＥＳをの圧縮データをエレメントキャッシュ１３から取り出して伸長器２２でそれぞれ伸長してページバッファ２４、２５に書き込み、固定エレメントデータの画像データと合成する。
【００２９】
この実施例では、伸長するエレメントデータの数は可変エレメントＥ２および集合エレメントＥＡの２つであり、伸長の処理時間が短くなり、ページ組立をプリンタ３２の高速処理に追随させることができる。
【００３０】
図６は、上述実施例の変形例を示している。この例では可逆圧縮器１２Ａおよび非可逆圧縮器１２Ｂを用い、これに対応して可逆伸長器２２Ａおよび非可逆伸長器２２Ｂを用いている。なお、図６において図２と対応する箇所には対応する符号を付した。
【００３１】
この例では、固定エレメントデータ以外を、自然画像や写真等の非可逆圧縮に適した画像のデータエレメントと、文字やグラフィックス等の可逆圧縮に適した画像のデータエレメントに分け、非可逆圧縮に適したデータエレメントを１つの集合データエレメントとして非可逆圧縮器１２Ｂで圧縮し、非可逆伸長器２２Ｂで伸長して画像組み立てする。また同様に可逆圧縮に適したデータエレメントを１つの他の集合データエレメントとして可逆圧縮器１２Ａで圧縮し、非可逆伸長器２２Ｂで伸長して画像組み立てする。
【００３２】
この場合にも、上述の実施例と同様にページ組立時の伸長対象のエレメントデータ数が少なくなり、ページ組立をプリンタ３２の高速処理に追随させることができる。
【００３３】
図６の変形例において、２つのタイプの集合エレメントデータをそれぞれ１まとまりに圧縮するのでなく、一方のみを圧縮してもよい。
【００３４】
なお、この発明は上述の実施例に限定されるものではなくその趣旨を逸脱しない範囲で種々変更が可能である。例えば、上述の例では、集合エレメントの選択を種々の基準で行なっているが、伸長対象のエレメントデータの数を少なくできればどのように集合エレメントを選択したも良い。固定エレメント以外を集合エレメントとしてもよい。
【図面の簡単な説明】
【００３５】
【図１】従来例を説明するブロック図である。
【図２】本発明の実施例を説明するブロック図である。
【図３】上述実施例の各ページを構成するエレメントデータの例を説明する図である。
【図４】上述実施例におけるエレメントデータの分類および圧縮・伸長処理を説明する図である。
【図５】上述実施例のエレメントキャッシュに保持されている圧縮エレメントデータの例を説明する図である。
【図６】上述実施例の変形例を説明するブロック図である。
【符号の説明】
【００３６】
１      印刷システム
２      印刷システム
１０      ラスタ画像処理サブシステム
１１      ラスタ画像プロセッサ
１２      圧縮器
１２Ａ      可逆圧縮器
１２Ｂ      非可逆圧縮器
１３      エレメントキャッシュ
１４      ＰＡＬ保持部
１５      エレメント再構成部
２０      ページ組立サブシステム
２１      ページ組立プロセッサ
２２      伸長器
２２Ａ      可逆伸長器
２２Ｂ      非可逆伸長器
２２Ａ      非可逆伸長器
２３      ＰＡＬバッファ
２４      ページバッファ
３０      印刷サブシステム
３１      プリンタインタフェース
３２      プリンタ
【図１】
2006264286.tif 000003
【図２】
2006264286.tif 000004
【図３】
2006264286.tif 000005
【図５】
2006264286.tif 000006
【図６】
2006264286.tif 000007
【図４】
2006264286.tif 000008